(57)【要約】      （修正有）【課題】管制センタとエレベータ乗りかご内のインターホンとの通話音量と、音声ガイダンス発生装置による音量との音量差異を低減する。【解決手段】エレベーターの乗りかご内において管制センタと通話するためのインターホン子機３と、合成音を生成し出力する音声ガイダンス出力装置１０５とを備えるエレベーターの監視装置５が、管制センタとの通話時におけるインターホン子機３のスピーカー１１０への出力電圧を湘定するインターホン側電圧測定器１０２と、インターホン側電圧測定器１０２によって測定された出力電圧を格納するＲＡＭｌ０３と、音声ガイダンス出力装置１０５が生成する合成音の音量を調整する音量調整器１０６と、音声ガイダンス出力装置１０５をスピーカー１１０に接続した場合の出力電圧を、ＲＡＭｌ０３に格納される出力電圧と一致するように音量調整器１０６を調整するＣＰＵｌ０４とを備える。【選択図】図２
2011157195.tif 000002
【特許請求の範囲】
【請求項１】
エレベーターの乗りかご内において管制センタと通話するためのインターホンと、合成音を生成し出力する音声ガイダンス出力装置とを備えるエレベーターの監視装置において、
前記管制センタとの通話時における前記インターホンのスピーカーヘの出力電圧を測定する電圧測定器と、
前記電圧測定器によって測定された前記出力電圧を格納する記憶装置と、
音声ガイダンス出力装置が生成する前記合成音の音量を調整する音量調整器と、
前記音声ガイダンス出力装置を前記スピーカーに接続した場合の出力電圧を、前記記憶装置に格納される前記出力電圧と一致するように前記音量調整器を調整する処理装置と、を備えることを特徴とするエレベーターの監視装置。
【発明の詳細な説明】
【技術分野】
【０００１】
本発明は、音声ガイダンスの音量を調整する処理を自動で行うエレベーターの監視装置に関する。
【背景技術】
【０００２】
インターホン接続時に、エレベーターかご内の基準音発生装置によって基準音を発生し、これをインターホンで拾って監視用端末の比較回路に与え、他方、監視センタからも基準音発生装置から電話回線を通して基準音を送信し、これら信号レベルの差に応じて送受話信号の増幅回路の利得を自動調整して通話状態が良好な状態で行えるようにしたものが知られている（特許文献１参照）。
【０００３】
また、一般電話機とエレベータインターホンの間に自動感度調整装置を備え、かご内の通報者からの非常通話の感度が悪い時、一般電話機から自動感度調整装置に制御信号を送出し、装置内の感度調整部を制御して非常通話の感度を調整するものが知られている（特許文献２参照）。
【先行技術文献】
【特許文献】
【０００４】
【特許文献１】特開平６−８５９４０号公報
【特許文献２】特開平１１−１２２３９１号公報
【発明の概要】
【発明が解決しようとする課題】
【０００５】
従来技術によれば、基準音発生装置により、インターホンの音量を自動詞整するものが知られているが、インターホン側の音声増幅には限界があり、過度に増幅すると音声にひずみが発生し、基準音と同等の音声にできないという問題があった。
【０００６】
また、一般電話機とエレベータインターホンの間に自動感度調整装置を備え、かご内の通報者からの非常通話の感度が悪い時、一般電話機から自動感度調整装置に制御信号を送出し、装置内の感度調整部を制御して非常通話の感度を調整するものもあるが、現地の監視装置の設置環境により調整が難しくなるという問題があった。
【０００７】
一方で、管制センタとインターホン子機との通話において、一定の音量が確保できているにもかかわらず、かご内の音声ガイダンス発生装置による音量と比較した場合に、音量が異なるという問題がある。
【０００８】
本発明の目的は、管制センタとインターホンとの通話音量と、音声ガイダンス発生装置による音量との音量差異を低減することにある。
【課題を解決するための手段】
【０００９】
上記目的を達成するために、エレベーターの乗りかご内において管制センタと通話するためのインターホンと、合成音を生成し出力する音声ガイダンス出力装置とを備えるエレベーターの監視装置において、管制センタとの通話時におけるインターホンのスピーカーヘの出力電圧を測定する電圧測定器と、電圧測定器によって測定された出力電圧を格納する記憶装置と、音声ガイダンス出力装置が生成する合成音の音量を調整する音量調整器と、音声ガイダンス出力装置をスピーカーに接続した場合の出力電圧を、記憶装置に格納される出力電圧と一致するように音量調整器を調整する処理装置と、を備える。
【発明の効果】
【００１０】
本発明によれば、音声ガイダンスの音量を音量調整器により自動的に変更するようにしたので、管制センタとインターホンとの通話音量と、音声ガイダンス発生装置による音量との音量差異をなくすことができる。
【図面の簡単な説明】
【００１１】
【図１】本発明の一実施形態であるエレベーターの監視装置の概要を示す構成図である。
【図２】本実施形態におけるエレベーターの監視装置の詳細を示す構成図である。
【図３】本実施形態におけるインターホンの出力電圧測定方法の要部処理を示すフローチャートである。
【図４】本実施形態における音声ガイダンスの出力調整方法の要部処理を示すフローチャートである。
【発明を実施するための形態】
【００１２】
以下、エレベーターの監視装置について、図面を参照しながら説明する。図１は、本発明の一実施形態であるエレベーターの監視装置の概要を示す構成図で、図２は、本実施形態におけるエレベーターの監視装置の詳細を示す構成図で、図３は、本実施形態におけるインターホンの出力電圧測定方法の要部処理を示すフローチャート、図４は、本実施形態における音声ガイダンスの出力調整方法の要部処理を示すフローチャートである。
【００１３】
図１において、乗客を運搬するエレベーター乗りかご１、エレベーター乗りかご１を吊り下げる主ロープ２、エレベーター乗りかご１内に設けられ乗りかご内から音声の送受信を行うインターホン子機３、エレベーターを設置した建物と同一敷地内でエレベーター乗りかご１の外部から通話できるインターホン親機４、エレベーターの状態を監視し、異常時に通報を行う監視装置５、インターホン子機３とインターホン親機４と監視装置５の間で音声を送受信する伝送路であるテールコード６、エレベーター側からの音声および信号を受信する管制センタ７、監視装置５と管制センタ７との音声および信号を伝送する電話回線８にて構成する。
【００１４】
監視装置５および、インターホン子機７の詳細な構成については、図２にて説明する。図２において、監視装置５に、電話回線８からの着信電圧（Ｖｌ）を測定する電話回線側電圧測定器１０１、スピーカーヘの出力電圧（Ｖ２）を測定するインターホン側電圧測定器１０２、前記電話回線側電圧測定器１０１およびインターホン側電圧測定器１０２の測定結果を一時格納する記憶装置であるＲＡＭｌ０３、監視装置５の全体を制御する処理装置であるＣＰＵ１０４、合成音を生成し出力する音声ガイダンス出力装置１０５、ＣＰＵ１０４の指令を受けて音声ガイダンスの出力電圧を調整する音量調整器１０６、インターホンの送受話を切り替える送受話切替装置１０７、インターホン使用時に送受話回路を接続するためのインターホン接続接点１０８、音声ガイダンスの音声出力時に回路を接続する音声ガイダンス接続接点１０９にて構成する。また、インターホン子機３において、音声を送出するスピーカー１１０、かご内の音声を収集するマイク１１１にて構成する。
【００１５】
次に、インターホンの出力電圧測定方法の要部処理について図３のフローチャートを参照しながら説明する。
【００１６】
まず、ステップＳ２０１において、インターホン子機３と管制センタ７との通話が開始する。このとき、インターホン接続接点１０８および音声ガイダンス接続接点１０９は管制センタ７からインターホン子機３側へ通話できる状態に、ＣＰＵｌ０４が指令を出している状態である。
【００１７】
次に、ステップＳ２０２に進み、管制センタ７からインターホン子機３へ通話中の状態で、電話回線側電圧測定器１０１にて電圧Ｖｌを測定する。また、インターホン側電圧測定器１０２にて電圧Ｖ２を測定する。
【００１８】
次に、ステップＳ２０３に進み、ステップＳ２０２にて測定した電圧Ｖ１，Ｖ２をＲＡＭ１０３に格納する。
【００１９】
次に、ステップＳ２０４において、通話が完了となる。通話完了後ステップＳ２０５に進み、ＣＰＵ４は、ＲＡＭ１０３に格納された電圧Ｖ１，Ｖ２に基づいて、電圧Ｖ１が一定以上を検出していることを確認した上で、これまでの電圧Ｖ２の測定結果をもとに、Ｖ２のインターホン出力の平均電圧Ｖαを算出してＲＡＭ１０３に格納する。
【００２０】
次に、音声ガイダンスの出力調整方法の要部処理について図４のフローチャートを参照しながら説明する。
【００２１】
まず、ステップＳ３０１において、音声ガイダンスを行う事象が発生し、ＣＰＵ１０４からの指令によって音声ガイダンス接続接点１０９が閉じられて、インターホン子機３のスピーカー１１０が音声ガイダンス出力装置１０５に接続されると、ステップＳ３０２に進み、ＣＰＵ１０４より音声ガイダンス出力装置１０５に対し、出力音声指令を出す。
【００２２】
次に、ステップＳ３０３に進みＣＰＵ１０４は、ＲＡＭ１０３からインターホン出力の平均電圧Ｖαを読み出す。
【００２３】
次に、ステップＳ３０４に進みＣＰＵ１０４により音量調整器１０６をＶαと一致するように調整する。
【００２４】
このように、音声ガイダンスの音量を音量調整器により自動的に変更するようにしたので、管制センタとインターホン子機との通話音量と、音声ガイダンス発生装置による音量との音量差異を低減することができる。
【符号の説明】
【００２５】
１  エレベーター乗りかご
２  主ロープ
３  インターホン子機
４  インターホン親機
５  監視装置
６  テールコード
７  管制センタ
８  電話回線
１０１  電話回線側電圧測定器
１０２  インターホン側電圧測定器
１０３  ＲＡＭ
１０４  ＣＰＵ
１０５  音声ガイダンス出力装置
１０６  音量調整器
１０７  送受話切替装置
１０８  インターホン接続接点
１０９  音声ガイダンス接続接点
１１０  スピーカー
１１１  マイク
【図１】
2011157195.tif 000003
【図２】
2011157195.tif 000004
【図３】
2011157195.tif 000005
【図４】
2011157195.tif 000006